(57)【特許請求の範囲】
【請求項１】
浮力を提供するための浮力プレート（１）と、
前記浮力プレート（１）の中央部に配置され、上端が浮力プレート（１）の本体プレー
トと同じ高さで、海水を制限するための収集ボックス（３）と、
前記収集ボックス（３）内に配置され、垂直方向に摺動可能で、マイクロプラスチック
を収集するための収集ネット（４）と、
前記浮力プレート（１）の外縁に回転可能に接続され、前記収集ネット（４）に運動動
力を提供する駆動装置（２）と、
を含むことを特徴とするオフショア環境におけるマイクロプラスチックの収集装置。
【請求項２】
前記浮力プレート（１）は円筒形であり、
浮力プレート（１）中央部に配置され、前記収集ボックス（３）を取り付けるための収
容チャンバー（１１）と、
浮力プレート（１）側面に配置された第１の摺動溝（１２）と、
浮力プレート（１）頂面の外縁に配置された制限溝（１４）と、
浮力プレート（１）頂面に開設され、前記収容チャンバー（１１）と制限溝（１４）の
間に位置する４つの第１のスロット（１３）と、
を含むことを特徴とする請求項１に記載の収集装置。
【請求項３】
前記駆動装置（２）は、
前記制限溝（１４）を介して浮力プレート（１）側面に回転可能に接続された回転リング
（２１）と、
前記回転リング（２１）の内側面に開設され、第１の摺動溝（１２）との間に複数の第１
のボール（２１２）が嵌設される第２の摺動溝（２１１）と、
前記回転リング（２１）の底面であって、第２の摺動溝（２１１）の回転リング（２１）
の中央軸に近接する側に設けられ、噛合歯が内側に向かう歯リング（２１３）と、
前記回転リング（２１）の底面の下に接続され、底面に複数のインペラ（２２１）が設け
られた駆動リング（２２）と、
前記回転リング（２１）外側面に設けられたインフレータブルバッグ（２３）と、
を含むことを特徴とする請求項２に記載の収集装置。
【請求項４】
前記収集ボックス（３）は上面と下面のない中空の立方体形状であり、
収集ボックス（３）の４つの側面の外壁の中央部に設けられた第１のスライドレール（３
１１）と、
前記第１のスライドレール（３１１）の中央部に開設され収集ボックス（３）の側面を貫
通する第３のスロット（３１１１）と、
前記第１のスライドレール（３１１）内にスライダー（３１２）が摺動可能に接続され、
前記スライダー（３１２）の第１のスライドレール（３１１）から離れた一側に回転可能
に接続されたその変位を駆動するためのクランク（３１３）と、
前記クランク（３１３）のスライダー（３１２）から離れた一端に第２のベベルギア（３
１３１）が設けられ、前記第２のベベルギア（３１３１）が浮力プレート（１）内部に設
けられた第１のベベルギア（１５）を介して歯リング（２１３）と配合して回転可能であ
り、
収集ボックス（３）内部の４つの側面の接続箇所に設けられ、第２のボール（３２１）が
摺動可能に設けられた第２のスライドレール（３２）と、
を含むことを特徴とする請求項３に記載の収集装置。
【発明の詳細な説明】
【技術分野】
【０００１】
本発明は、環境汚染物収集の技術分野に関し、具体的にはオフショア環境におけるマイク
ロプラスチックの収集装置およびその応用方法に関する。
【背景技術】
【０００２】
マイクロプラスチックとは、直径が５ｍｍ以下のプラスチック粒子を指し、中国でのマイ
クロプラスチック汚染の研究は遅れて始まり、マイクロプラスチックの現状と傾向、生態
学的影響などは不明であり、オフショア環境でのマイクロプラスチック汚染およびその生
物学的蓄積と毒性の研究も少ない。したがって、本発明は、オフショア環境における海水
マイクロプラスチックの収集装置を提供し、オフショア環境におけるマイクロプラスチッ
クの汚染研究および監視管理に対する基本的なデータと科学的根拠を提供することを目的
とする。
【発明の概要】
【０００３】
現在、中国の研究者はトロールによって海水中のマイクロプラスチックをサンプリングし
ているが、具体的な操作方法は以下の通りであり：ロープの一端を船尾の欄杆に結び付け
、ロープの長さをできるだけ長く保つようにして、他端をプランクトントロールの前部ネ
ットサークルのロープに結び付け、鉄のブロックを前部ネットサークルに結び付けて海に
入り、同時にネットサークルの半分が海面に沈んで、半分が海面の上に露出することを確
保する。トロールの前にＧＰＳでポイントを記録し、３〜４ノットの速度で約１５ｍｉｎ
ドラグする。ドラグの後、ＧＰＳでポイントを記録し、ドラグ距離を算出して海水の単位
面積内のマイクロプラスチックの存在量を算出する。
【０００４】
このような方式は以下の問題がある。
１）船自体の操作プロセスは、サンプリングエリアの水域を妨害し、トロールによって収
集されるサンプルの数に影響し、現在の解決策は、ロープの長さを通常１５ｍ以上できる
だけ長くすることであるが、このような方式はネット放出、ネット回収およびサンプル収
集に不便である。
２）後でデータを処理する場合、ドラグ距離と船の航行時間から単位面積内の海水中のマ
イクロプラスチック存在量を算出するが、ＧＰＳの誤差と船の航行速度の不確により、後
のデータの偏差が大きく、多くの場合、同じエリアで何度もサンプル収集を行う必要があ
り、サンプリング量を増やすことで誤差を修正するためにかなり手間がかかる。
【０００５】
上記の２つの問題に対して、本発明は、オフショア環境におけるマイクロプラスチックの
収集装置を提供し、現在海水マイクロプラスチックのサンプリング方式を改良することを
目的とし、便利な使用を前提として、外部環境のサンプリング水域に対する干渉を低減し
、サンプリングデータの精度を高め、サンプリング効率の向上やサンプリング作業負荷の
低減を実現し、具体的な技術的解決策は以下の通りである。
【０００６】
オフショア環境におけるマイクロプラスチックの収集装置は以下を含む。
浮力を提供するための浮力プレートは、その製造材料が表面疎水処理された金属材料であ
り、浮力を提供する同時に海水の腐食に強く、収集されたデータの正確度に影響を与えな
い。
【０００７】
浮力プレートの中央部に配置され、上端が浮力プレートの本体プレートと同じ高さで、海
水を制限するための収集ボックスは、その材料が浮力プレート材料と同じである。収集ボ
ックスは、ボックス内の海水を外部の海水から分離し、ボックス内への外部海水の影響を
低減するだけでなく、船の航行時のボックス内への海水の干渉を低減することができる。
【０００８】
収集ボックス内に垂直方向に摺動可能に配置され、マイクロプラスチックを収集するため
の収集ネットは、収集されたマイクロプラスチックの数を単位体積の海水中のマイクロプ
ラスチック存在量とする。
【０００９】
浮力プレートの外縁に回転可能に接続され、収集ネットに運動動力を提供する駆動装置は
、潮汐によって引き起こされる海の波の運動エネルギーを主な動力とする。
【００１０】
本発明の１つの態様として、浮力プレートは円筒形であり、
浮力プレート中央部に配置され、収集ボックスを取り付けるための収容チャンバーと、
浮力プレートの側面に配置され、第１のボールを制限するための第１の摺動溝と、
浮力プレートの頂面の外縁に配置され、浮力プレートおよび回転リングに支持構造を提供
するための制限溝と、
浮力プレート頂面に開設され、収容チャンバーと制限溝との間に位置し、クランクの回転
のための可動空間を提供する４つの第１のスロットとを含む。
【００１１】
本発明の１つの態様として、駆動装置は、
制限溝を介して浮力プレート側面に回転可能に接続され、海の波の運動エネルギーを駆動
装置の運動エネルギーに変換するための回転リングと、
回転リングの内側面に開設され、回転リングと浮力プレート間の摩擦を低減してエネルギ
ー消費を削減するように、第１の摺動溝との間に複数の第１のボールが嵌設される第２の
摺動溝と、
回転リング底面であって、第２の摺動溝の回転リングの中央軸に近接する側に、回転リン
グの動力を伝達するための、噛合歯が内側に向かう歯リングと、
回転リング底面の下に接続され、海の波の作用力を受け、海の波の作用力を駆動リングに
伝達するように、底面に複数のインペラが設けられた駆動リングと、
回転リング外側面に設けられ、装置全体の浮力を高めるためのインフレータブルバッグと
、を含む。
【００１２】
本発明の１つの態様として、収集ボックスは上面と下面のない中空の立方体形状であり、
以下を含む。
収集ボックスの４つの側面の外壁中央部に設けられた第１のスライドレールは、その中央
部に収集ボックスの側面を貫通する第３のスロットが開設され、第１のスライドレール内
にスライダーが摺動可能に接続され、スライダーの第１のスライドレールから離れる側に
その変位を駆動するためのクランクが回転可能に接続され、クランクのスライダーから離
れる端に第２のベベルギアが設けられ、第２のベベルギアは浮力プレート内部に設けられ
た第１のベベルギアを介して歯リングと配合して回転可能である。
【００１３】
以上の構造によって、回転リングの回転をスライダーの第１のスライドレールでの直線往
復運動に変換し、収集ネットの収集機能に構造の基礎を提供する。
【００１４】
収集ボックス内部の４つの側面の接続箇所に配置された第２のスライドレールは、第２の
スライドレール内に第２のボールが摺動可能に設置され、第２のスライドレールと第２の
ボールの設置によって、収集ネットが収集ボックス内に低い摩擦力でマイクロプラスチッ
クの選別を行うのを確保することができる。
【００１５】
本発明の１つの態様として、収集ネットは、以下を含む。
制限ハーフリングングを介して第２のボールと互いに配合され、収集ボックス内部に摺動
可能に接続された収集ラックは、そのフレーム外側の中央部にスライダーに接続された接
続ロッドが設けられ、収集ラックのフレームの外側上部に固定溝が設けられ、収集ラック
はスライダーによってドラグされ、収集ボックス内に垂直方向に往復運動することができ
る。
【００１６】
磁気材料からなるフィルタースクリーン棚は固定溝内のフィルタースクリーンに吸着され
、強い磁力で吸着されるため、ねじやスナップ構造が不要で、研究者によるフィルタース
クリーンの交換に非常に便利である。
【００１７】
フィルタースクリーン棚のフレームの外側中央部に凹穴が設けられ、研究者によるフィル
タースクリーンの交換の時作業点を提供し、その内側に切断されたプランクトンネット浅
水II型であり、メッシュの径が１６０ μｍである。
【００１８】
本発明の動作原理の具体的な流れは以下の通りである。
Ｓ１：マイクロプラスチックを監視する必要があるオフショア海域を選択し、本発明の収
集装置を間隔１０〜２０ｍで、正方行列の形で関連海域に配置する、
Ｓ２：収集装置が海水に投入されると、浮力プレートとインフレータブルバッグによって
海面に浮遊可能であり、固定のサイズの収集ボックスにより固定量の海水を収集ボックス
中に制限する、
Ｓ３：収集ボックス内部に制限された海水が外部の海水よりも比較的静止しており、外部
の海の波が駆動リング上のインペラに力を与え、回転リングを回転させる、
Ｓ４：回転リングは、歯リング、第１のベベルギア、第２のベベルギアを介して力を伝達
し、クランクを回転させる、
Ｓ５：クランクは回転力を収集ネットの収集ボックスでの直線往復運動の力に変換し、収
集ネットは収集ボックス内部に制限された海水中のマイクロプラスチックを何度も繰り返
し選別する、
Ｓ６：最初の収集装置の水での時間が１５〜２０ｍｉｎに達すると、投入順序に従って収
集装置中のフィルタースクリーンを順番に取り出す、
Ｓ７：フィルタースクリーンに収集されたサンプルをステンレス鋼のふるいで洗い、次に
ふるい中の残留物を脱イオン水を経って清浄な収集ボトルに移し、番号付けて封止し、低
温で光から保護され保管する、
Ｓ８：一次のマイクロプラスチック収集が完了したら、清浄なフィルタースクリーンを交
換して他のエリアのサンプリング収集を行うか、収集装置を直接回収してサンプリングを
完了することができる。
【００１９】
本発明によって設計された収集装置は、係留設備を追加することにより、長期間海に浮か
ぶことができ、使用するとき清浄なフィルタースクリーンを交換してから、海に戻すれば
よいため、オフショア環境におけるマイクロプラスチックの周期性監視装置として使用さ
れ、研究者がサンプルを取るたびの準備作業を大幅に減らすことができる。
【００２０】
既存のマイクロプラスチック収集装置と比較すると、本発明の有益な効果は以下の通りで
ある。
（１）本発明は、収集装置内の海水を外部海水から隔離することで、外部環境の収集サン
プル海水のマイクロプラスチックの数への影響を回避し、収集データの精度を高める。
（２）本発明は、特定仕様の収集ボックスを設置することで、単位体積の海水中のマイク
ロプラスチックの存在量を容易に取得でき、従来のトロールによる収集時のＧＰＳ誤差お
よび船の航行速度の誤差に起因する最後収集データ誤差を避ける。
（３）本発明によって設計された収集装置は、長期間海に配置することができ、使用する
とき収集ネットを交換すれば海水中のマイクロプラスチックの存在量を調査でき、研究者
による特定のオフショア海域の長期間監視が非常に容易になる。
【図面の簡単な説明】
【００２１】
【図１】本発明の外観図である。
【図２】本発明の上面視での断面図である。
【図３】本発明の平面視での断面図である。
【図４】本発明の本体プレートの分解図である。
【図５】本発明の収集ボックスの外観図である。
【図６】本発明の収集ボックスの構造概略図である。
【図７】本発明の収集ネットの構造概略図である。
【図８】本発明の収集ラックの部分拡大図である。
【００２２】
［符号の説明］
１      浮力プレート
１１    収容チャンバー
１１１  第２のスロット
１２    第１の摺動溝
１３    第１のスロット
１４    制限溝
１５    第１のベベルギア
２      駆動装置
２１    回転リング
２１１  第２の摺動溝
２１２  第１のボール
２１３  歯リング
２２    駆動リング
２２１  インペラ
２３    インフレータブルバッグ
３      収集ボックス
３１    拡張腔
３１１  第１のスライドレール
３１１１    第３のスロット
３１２    スライダー
３１３    クランク
３１３１    第２のベベルギア
３２    第２のスライドレール
３２１    第２のボール
４    収集ネット
４１    フィルタースクリーン
４１１    フィルタースクリーン棚
４１１１    凹穴
４１２    プランクトンネット
４２    収集ラック
４２１    制限ハーフリングング
４２２    接続ロッド
４２３    固定溝
【発明を実施するための形態】
【００２３】
本発明の方法および効果をさらに説明するために、以下図面を参照して本発明の技術的解
決策を明確かつ完全に説明する。
【００２４】
実施例
１、技術的解決策を説明する前に、まず本発明の関連標準を統一する。
１）特性評価単位の統一
マイクロプラスチック量の表現単位について、現在学術文献によって大きな違いがあり、
一般的には、数量上の特性評価（存在量）および品質上の特性評価がある。堆積物サンプ
ルの場合、通常特性評価数量および品質の単位がそれぞれ「個／ｍ２」または「個／ｋｇ
（堆積物）」および「ｇ／ｋｇ (堆積物)」などであり、海洋表面サンプルの場合、良く
使用される数量単位は「個／ｍ２」および「個／ｍ３」で、品質単位は「ｇ／ｍ２」また
は「ｇ／ｍ３」である。
単位の多様化により、データ結果間の比較が困難であるため、本発明では、海水中のマイ
クロプラスチック量の表現を存在量特性評価で表現し、単位を「個／ｍ３」に統一する。
２）サンプリングエリアの統一
中国の河口オフショアエリアは、主に渤海エリアおよび南シナ海エリアに分かれている。
渤海の平均水深は２０〜２５ｍであり、平均潮汐範囲は約２〜３ｍである。
南シナ海は、香港を南へ６０海里以上離れて水深が約１００ｍに達し、平均潮汐範囲が３
ｍ未満である。また、１００海里以上離れると水深が２００ｍに達し、１９°５４Ｎ以上
の南では、水深が２０００ｍまで達する可能性がある。
サンプリングの便利性と潮汐範囲を考慮すると、本発明は、渤海オフショア水域でのサン
プリング装置のサンプリング実験のみを行う。
３）サンプリング装置仕様の統一
サンプリングのカウントを容易にするために、本発明によって設計された収集ボックス３
の容積は１ｍ３であり、つまり、単一の収集装置の収集ネット４によって収集されたマイ
クロプラスチックの量は、１ｍ３海水中のマイクロプラスチック量であり、後期データを
使用するとき「（収集ネット４によって収集されたマイクロプラスチック量）個／ｍ３」
を直接特性評価データとして使用することができる。
【００２５】
２、関連標準を統一した後、以下は、本発明の具体的な実施形態である。
図１に示すように、オフショア環境におけるマイクロプラスチックの収集装置は、以下を
含む。
浮力を提供するための浮力プレート１１は、その製造材料が表面疎水処理された金属材料
であり、浮力を提供する同時に海水の腐食に強く、収集されたデータの正確度に影響を与
えない。
設置在浮力プレート１の中央部に配置され、上端が浮力プレート１の本体プレートと同じ
高さで、海水を制限するための収集ボックス３は、その材料が浮力プレート１の材料と同
じであり、具体的な容積は１ｍ３である。収集ボックス３はボックス内の海水を外部海水
から隔離し、外部海水のボックス内への影響を低減し、船の航行時海水のボックス内への
干渉を低減することもできる。
収集ボックス３内に垂直方向に摺動可能に配置され、マイクロプラスチックを収集するた
めの収集ネット４は、収集されたマイクロプラスチックの数を１ｍ３海水中のマイクロプ
ラスチック存在量とする。
浮力プレート１の外縁に回転可能に接続され、収集ネット４に運動動力を提供する駆動装
置２は、潮汐によって引き起こされる海の波の運動エネルギーを主な動力とする。
【００２６】
図４に示すように、浮力プレート１は円筒形であり、
浮力プレート１の中央部に配置され、収集ボックス３を取り付けるための収容チャンバー
１１と、
浮力プレート１の側面に配置され、第１のボール２１２を制限するための第１の摺動溝１
２と、
浮力プレート１の頂面の外縁に配置され、浮力プレート１および回転リング２１に支持構
造を提供するための制限溝１４と、
浮力プレート１頂面に開設され、収容チャンバー１１と制限溝１４との間に位置し、クラ
ンク３１３の回転のための可動空間を提供する４つの第１のスロット１３と、を含む。
【００２７】
図２、３、４に示すように、駆動装置２は、
制限溝１４を介して浮力プレート１側面に回転可能に接続され、海の波の運動エネルギー
を駆動装置２の運動エネルギーに変換するための回転リング２１と、
回転リング２１内側面に開設され、回転リング２１と浮力プレート１の間の摩擦を低減し
てエネルギー消費を削減するように、第１の摺動溝１２との間に複数の第１のボール２１
２が嵌設される第２の摺動溝２１１と、
回転リング２１底面であって、第２の摺動溝２１１の回転リング２１の中央軸に近接する
側に、回転リング２１の動力を伝達するための、噛合歯内側に向かう歯リング２１３と、
回転リング２１底面の下に接続され、海の波の作用力を受け、海の波の作用力を駆動リン
グ２２に伝達するように、底面に複数のインペラ２２１が設けられた駆動リング２２と、
回転リング２１外側面に設けられ、装置全体の浮力を高めるためのインフレータブルバッ
グ２３と、を含む。
【００２８】
図５、６に示すように、収集ボックス３は上面と下面のない中空の立方体形状であり、以
下を含む。
収集ボックス３の４つの側面の外壁中央部に設けられた第１のスライドレール３１１は、
その中央部に収集ボックス３の側面を貫通する第３のスロット３１１１が開設され、第１
のスライドレール３１１内にスライダー３１２が摺動可能に接続され、スライダー３１２
の第１のスライドレール３１１から離れる側にその変位を駆動するためのクランク３１３
が回転可能に接続され、クランク３１３のスライダー３１２から離れる端に第２のベベル
ギア３１３１が設けられ、第２のベベルギア３１３１は浮力プレート１内部に設けられた
第１のベベルギア１５を介して歯リング２１３と配合して回転可能である。
以上の構造によって、回転リング２１の回転をスライダー３１２の第１のスライドレール
３１１での直線往復運動に変換し、収集ネット４の収集機能に構造基礎を提供する。
収集ボックス３内部の４つの側面接続箇所に配置された第２のスライドレール３２は、第
２のスライドレール３２内に第２のボール３２１が摺動可能に設置され、第２のスライド
レール３２と第２のボール３２１の設置によって、収集ネット４が収集ボックス３内で低
い摩擦力でマイクロプラスチックの選別を行うのを確保することができる。
【００２９】
図７、８に示すように、収集ネット４は以下を含む。
制限ハーフリングング４２１を介して第２のボール３２１と互いに配合され、収集ボック
ス３内部に摺動可能に接続された収集ラック４２は、そのフレーム外側の中央部にスライ
ダー３１２に接続された接続ロッド４２２が設けられ、収集ラック４２のフレームの外側
上部に固定溝４２３が設けられ、収集ラック４２はスライダー３１２によってドラグされ
、収集ボックス３内に垂直方向に往復運動することもできる。
磁気材料からなるフィルタースクリーン棚４１は固定溝４２３内のフィルタースクリーン
４１に吸着され、強い磁力で吸着されるため、ねじやスナップ構造が不要で、研究者によ
るフィルタースクリーン４１の交換に非常に便利である。
フィルタースクリーン棚４１のフレームの外側中央部に凹穴４１１１が設けられ、研究者
によるフィルタースクリーン４１の交換の時作業点を提供し、その内側にプランクトンネ
ット４１２が設けられ、使用するフィルタースクリーン４１は切断されたプランクトンネ
ット浅水II型であり、メッシュの径が１６０ μｍである。
【００３０】
応用例
本応用例は実施例１中の構造を基礎とし、本発明の動作原理を説明するものであり、具体
的な流れは以下の通りである。
Ｓ１：マイクロプラスチックを監視する必要があるオフショア海域を選択し、本発明の収
集装置を間隔１０〜２０ｍで、正方行列の形で関連海域に配置する、
Ｓ２：収集装置が海水に投入されると、浮力プレート１とインフレータブルバッグ２３に
よって海面に浮遊可能であり、容積が１ｍ３の収集ボックス３によって１ｍ３の海水を収
集ボックス３中に制限する、
Ｓ３：収集ボックス３内部に制限された海水が外部の海水よりも比較的静止しており、外
部の海の波が駆動リング２２上のインペラ２２１に力を与え、回転リング２１を回転させ
る、
Ｓ４：回転リング２１は、歯リング２１３、第１のベベルギア１５、第２のベベルギア３
１３１を介して力を伝達し、クランク３１３を回転させる、
Ｓ５：クランク３１３は回転力を収集ネット４１の収集ボックス３での直線往復運動の力
に変換し、収集ネット４１は収集ボックス３内部に制限された海水中のマイクロプラスチ
ックを何度も繰り返し選別する、
Ｓ６：最初の収集装置の水での時間が１５〜２０ｍｉｎに達すると、投入順序に従って収
集装置中のフィルタースクリーン４１を順番に取り出す、
Ｓ７：フィルタースクリーン４１に収集されたサンプルをステンレス鋼のふるいで洗い、
次にふるい中の残留物を脱イオン水を経って清浄な収集ボトルに移し、番号付けて封止し
、低温で光から保護され保管する、
Ｓ８：一次のマイクロプラスチック収集が完了したら、清浄なフィルタースクリーン４１
を交換して他のエリアのサンプリング収集を行うか、収集装置を直接回収してサンプリン
グを完了することができる。
【００３１】
本発明によって設計された収集装置は、係留設備を追加することにより、長期間海に浮か
ぶことができ、使用するとき清浄なフィルタースクリーン４１を交換してから、海に戻す
ればよいため、オフショア環境におけるマイクロプラスチックの周期性監視装置として使
用され、研究者がサンプルを取るたびの準備作業を大幅に減らすことができる。
【００３２】
実験例１
本実験例は、上記応用例中の使用方法を基礎として本発明のサンプル処理方式を説明する
ものであり、具体的な流れは以下の通りである。
Ｓ１：渤海トロールサンプル中の２つの収集点を選択し：点Ａは沿岸に近く、約１０ｋｍ
であり、点Ｂは渤海の中央海域の近くにあり、沿岸から約７０ｋｍ離れる、
Ｓ２：Ａ、Ｂの２つの収集点（２０個収集装置）のトロールサンプルをそれぞれ採用し、
１０ｍｌを１００ｍｌハイタイプビーカー中に入る、
Ｓ２：飽和塩化ナトリウム塩溶液（真空吸引フィルター装置と２ｕｍフィルターで予備濾
過）を加え、一晩静置して上澄液を収集し、本実験で使用した消化試薬は３０％ Ｈ２Ｏ
２および６５％ ＨＮＯ３体積比１：３の混合液であり、消化液体が透明になるまで、
Ｓ３：溶液が透明になった後超純水を加え、真空ポンプで吸引濾過し、超純水で塩を洗浄
し、吸引濾過された後の径が２ μｍニトロセルロースフィルター膜を収集し、フィルタ
ー膜をガラス皿に置き、実体顕微鏡下に置きマイクロプラスチックを観察する、
Ｓ４：観察されたマイクロプラスチックを形態と色で分類し、プラグメント、粒子、繊維
およびフィルムの４つのタイプに分類できる。
【００３３】
実験例２
実験例２は実験例１で調製されたサンプルを測定し、サンプル中のマイクロプラスチック
の関連パラメータを説明し、Ａ収集点をＡ組とし、Ｂ収集点をＢ組とし、具体的なパラメ
ータは表１に示される。
【００３４】
表１ Ａ組、Ｂ組サンプル中のマイクロプラスチック関連パラメータ
0006818199.tif 000002
【００３５】
表１のデータから分かるように、Ａ点のマイクロプラスチックは主に繊維からなり、Ｂ点
のマイクロプラスチックは主にフラグメントからなり、上記の違いの利用は次の通りであ
り：Ａ点の収集装置はほとんど河口域にあり、その周辺には海水養殖場があり、漁網、釣
り糸が壊れると大量の繊維状マイクロプラスチックになり、つまり主に沿岸での人間の活
動によって引き起こされ、Ｂ点は人間の活動エリアから遠く離れ、海水中のマイクロプラ
スチックはほとんど海流によって引き起こされ、海水によって壊れたフラグメントのマイ
クロプラスチックの含有量が高い。
【００３６】
実験例３
実験例３は実験例１で調製されたサンプルを測定し、サンプル中のマイクロプラスチック
の存在量を説明し、具体的に表２に示される。
【００３７】
表２ Ａ組、Ｂ組サンプル中のマイクロプラスチック存在量
0006818199.tif 000003
【００３８】
表２のデータから分かるように、Ａ点のマイクロプラスチックの存在量がＢ組よりも高く
、Ａ組、Ｂ組のマイクロプラスチック存在量の違いの理由は以下の通りであり：Ｂ点は海
路と海岸近くから遠く離れ、渤海の中央エリアに近いため、人間の活動による直接影響が
小さい。
【要約】      （修正有）【課題】外部環境のサンプリング水域に対する干渉を低減し、サンプリングデータの精度を改善し、サンプリング効率の向上やサンプリング作業負荷の低減を実現できるオフショア環境におけるマイクロプラスチックの収集装置を提供する。【解決手段】浮力を提供するための浮力プレート１と、浮力プレート１の中央部に配置され、上端が浮力プレート１の本体プレートと同じ高さで、海水を制限するための収集ボックスと、マイクロプラスチックを収集するための収集ネット４と、収集ネット４に運動動力を提供する駆動装置２で構成される。【選択図】図１【図１】
0006818199.tif 000004
【図２】
0006818199.tif 000005
【図３】
0006818199.tif 000006
【図４】
0006818199.tif 000007
【図５】
0006818199.tif 000008
【図６】
0006818199.tif 000009
【図７】
0006818199.tif 000010
【図８】
0006818199.tif 000011